(57)【要約】【課題】リモコン送信機が操作されたときに確認音を発生させる回路の構成が複雑であるという問題があった。【解決手段】制御データを可聴周波数のパルスで表現した赤外線信号（無線信号）を受信して略同じパルス幅のパルス電圧信号に変換する赤外線受光回路（受信回路）２０と、パルス電圧信号に変換された制御データに対応する制御処理を行って音声を電圧で表す音声信号を生成可能な制御処理手段と、生成された音声信号に基づいて音声を発生させる音声発生回路５０とからなるテレビジョン（電気機器）に、パルス電圧信号を入力して略同じパルス幅のまま音声信号に重畳する音声重畳回路６０を設けた。リモコン送信機３０を操作したときの確認音を発生させる回路を簡素化させることが可能となる。【選択図】  図４
2004320635.tif 000002
【特許請求の範囲】
【請求項１】
放送電波を受信して中間周波信号を生成するチューナ回路と、この中間周波信号を入力して映像を表現する映像信号および音声を電圧で表す音声信号を生成するクロマＩＣと、同映像信号に基づいて映像を受像管に表示する映像表示回路と、同音声信号を所定の入力端から入力して増幅する音声アンプ回路と、同増幅された音声信号に基づいて音声を発生させるスピーカと、制御データを所定フォーマットの可聴周波数のパルスで表現した赤外線信号をリモコン送信機から受光して略同じパルス幅のパルス電圧信号に変換して所定の出力端から出力する赤外線受光回路と、上記チューナ回路とクロマＩＣに対して同パルス電圧信号に変換された制御データに対応する制御処理を行うマイコンとを備え、上記リモコン送信機が操作されたときに上記スピーカから確認音を発生させるテレビジョンにおいて、
上記マイコンは、ハイレベルの電圧またはローレベルの電圧を出力可能なＩ／Ｏポートを備え、
上記赤外線受光回路の出力端に一端を接続した第一抵抗回路と、
電源ラインに一端を接続した第二抵抗回路と、
上記第一抵抗回路の他端にベースを接続し、上記第二抵抗回路の他端にエミッタを接続し、グランドにコレクタを接続したｐｎｐ形トランジスタと、
第三抵抗回路とダイオードとが直列接続されるとともに上記第二抵抗回路の他端にアノード側を接続して上記音声アンプ回路の入力端にカソード側を接続した直列回路と、
上記Ｉ／Ｏポートに一端を接続した第四抵抗回路と、
この第四抵抗回路の他端にベースを接続し、上記ｐｎｐ形トランジスタのエミッタにコレクタを接続し、グランドにエミッタを接続したｎｐｎ形トランジスタとが設けられ、
上記マイコンは、上記パルス電圧信号が本テレビジョンで用いられているフォーマットであるか否かを判断し、本テレビジョンで用いられているフォーマットであると判断したときに上記Ｉ／Ｏポートからローレベルの電圧を出力して上記確認音を発生させ、本テレビジョンで用いられているフォーマットでないと判断したときに上記Ｉ／Ｏポートからハイレベルの電圧を出力して上記確認音の発生を中止させることを特徴とするテレビジョン。
【請求項２】
制御データを所定フォーマットの可聴周波数のパルスで表現した無線信号を受信して略同じパルス幅のパルス電圧信号に変換する受信回路と、
上記パルス電圧信号に変換された制御データに対応する制御処理を行って音声を電圧で表す音声信号を生成可能な制御処理手段と、
生成された上記音声信号に基づいて音声を発生させる音声発生回路と、
上記パルス電圧信号を入力して略同じパルス幅のまま上記音声信号に重畳する音声重畳回路とを具備することを特徴とする電気機器。
【請求項３】
上記無線信号は、赤外線信号であることを特徴とする請求項２に記載の電気機器。
【請求項４】
上記音声重畳回路は、上記パルス電圧信号の電流を増幅するパルス電流増幅回路を備え、電流を増幅したパルス電圧信号を上記音声信号に重畳することを特徴とする請求項３に記載の電気機器。
【請求項５】
上記受信回路は、上記パルスで表現した赤外線信号を受光して対応するパルス電圧信号を所定の出力端から出力する赤外線受光素子を備え、
上記音声発生回路は、上記音声信号を所定の入力端から入力し、
上記パルス電流増幅回路は、上記赤外線受光素子の出力端に一端を接続した第一抵抗回路と、電源ラインに一端を接続した第二抵抗回路と、同第一抵抗回路の他端にベースを接続するとともに同第二抵抗回路の他端とグランドとの間にエミッタ−コレクタ間を接続したトランジスタとを備え、
上記音声重畳回路は、第三抵抗回路とダイオードとが直列接続されるとともに上記第二抵抗回路の他端にアノード側を接続して上記音声発生回路の入力端にカソード側を接続した直列回路を備えることを特徴とする請求項４に記載の電気機器。
【請求項６】
上記音声重畳回路は、上記パルス電圧信号を上記音声信号に重畳するか否かを切り替え可能なスイッチ回路を備えることを特徴とする請求項２〜請求項５のいずれかに記載の電気機器。
【請求項７】
上記制御処理手段は、上記パルス電圧信号が本電気機器で用いられているフォーマットであるか否かを判断し、本電気機器で用いられているフォーマットであると判断したときのみ、上記パルス電圧信号を上記音声信号に重畳する側に上記スイッチ回路を切り替えることを特徴とする請求項６に記載の電気機器。
【請求項８】
上記音声発生回路は、上記パルス電圧信号の電圧の大きさを変更可能なパルス電圧変更回路を備えることを特徴とする請求項２〜請求項７のいずれかに記載の電気機器。
【請求項９】
上記音声重畳回路は、上記パルス電圧信号を上記音声信号に重畳する際に同パルス電圧信号を上記パルス電圧変更回路に通すか否かを切り替え可能な第二スイッチ回路を備え、
上記制御処理手段は、上記パルス電圧信号を上記パルス電圧変更回路に通すか否かを選択する入力を受け付け、選択内容に応じて上記第二スイッチ回路を切り替える制御を行うことを特徴とする請求項８に記載の電気機器。
【請求項１０】
操作入力を受け付けて入力内容に対応する制御データを表現するとともに同入力内容に応じたパルス幅とした上記無線信号を生成するリモコン送信機が設けられていることを特徴とする請求項２〜請求項９のいずれかに記載の電気機器。
【請求項１１】
制御データを所定フォーマットの可聴周波数のパルスで表現した無線信号を受信して略同じパルス幅のパルス電圧信号に変換する受信回路と、同パルス電圧信号に変換された制御データに対応する制御処理を行って音声を電圧で表す音声信号を生成可能な制御処理手段と、生成された音声信号に基づいて音声を発生させる音声発生回路とを備える電気機器の音声重畳回路であって、
上記パルス電圧信号を入力して略同じパルス幅のまま上記音声信号に重畳することを特徴とする電気機器の音声重畳回路。
【発明の詳細な説明】
【０００１】
【発明の属する技術分野】
本発明は、無線信号を送信するリモコン送信機（リモートコントロール送信機）が操作されたときに確認音を発生させるテレビジョン、電気機器および電気機器の音声重畳回路に関する。
【０００２】
【従来の技術】
従来、無線信号を送信するリモコン送信機が操作されたときに確認音を発生させるテレビジョンの一例として、特許文献１に開示された技術が知られている。
同テレビジョンは、音声出力アンプとスピーカの他に、マイク、同マイクに接続されたバンドパスアンプ、同バンドパスアンプに接続されたエンペロープ検出器、同エンベロープ検出器に接続された制御回路、同エンベロープ検出器と同制御回路とに接続されたゲート回路、同ゲート回路に接続された加算回路、等を備えている。外部のリモコン送信機が送信する超音波遠隔制御信号は、４０ｋＨｚの超音波信号をこれより低い可聴周波数で断続した信号とされている。マイクに超音波遠隔制御信号が入力されると、同マイクは超音波遠隔制御信号を電圧信号に変換する。同電圧信号は、バンドパスアンプを通過してエンベロープ検出器に入力される。エンベロープ検出器は、エンペロープを取り出し、可聴周波数のエンベロープ信号を生成して、加算回路に対して出力する。すると、エンベロープ信号が放送信号の音声と混合され、スピーカから可聴周波数の確認音が放音される。
【０００３】
また、別の一例として、特許文献２に開示されたテレビジョンが知られている。同テレビジョンは、リモコン送信機から４０ｋＨｚの超音波遠隔制御信号を受信して電圧信号に変換し、分周回路で分周して音声出力アンプに入力し、スピーカから確認音を出力するようになっている。
さらに、別の一例として、特許文献３に開示されたテレビジョンが知られている。同テレビジョンは、リモコン送信器から送信された遠隔操作用の信号を受信部で受信し、増幅部で増幅し、波形変換回路で一定幅のパルスに変換し、発振器で約３ｋＨｚの信号を生成している。そして、生成した約３ｋＨｚの信号を音声回路に加え、スピーカから確認音を出力するようになっている。
【０００４】
【特許文献１】
実公昭５７−１８８６９号公報
【特許文献２】
実公昭５７−１８８７０号公報
【特許文献３】
特開昭６０−４１３９１号公報
【０００５】
【発明が解決しようとする課題】
上述した従来の技術においては、以下のような課題があった。
特許文献１に開示された技術では、別途エンベロープ検出器が必要なため、回路構成が複雑であるという問題があった。また、超音波遠隔制御信号を可聴周波数で断続させる必要があるため、超音波遠隔制御信号を生成して送信する超音波送信機の構成が複雑となるという問題もあった。
特許文献２に開示された技術では、別途分周回路が必要なため、回路構成が複雑であるという問題があった。
特許文献３に開示された技術では、波形変換回路と発振器といった、別途周波数を変換する回路が必要なため、回路構成が複雑であるという問題があった。
【０００６】
本発明は、上記課題にかんがみてなされたもので、無線信号を送信するリモコン送信機を操作したときの確認音を発生させる回路を簡素化させることが可能なテレビジョン、電気機器および電気機器の音声重畳回路の提供を目的とする。
【０００７】
【課題を解決するための手段】
上記目的を達成するため、請求項１にかかる発明では、上記マイコンは、ハイレベルの電圧またはローレベルの電圧を出力可能なＩ／Ｏポートを備え、上記赤外線受光回路の出力端に一端を接続した第一抵抗回路と、電源ラインに一端を接続した第二抵抗回路と、上記第一抵抗回路の他端にベースを接続し、上記第二抵抗回路の他端にエミッタを接続し、グランドにコレクタを接続したｐｎｐ形トランジスタと、第三抵抗回路とダイオードとが直列接続されるとともに上記第二抵抗回路の他端にアノード側を接続して上記音声アンプ回路の入力端にカソード側を接続した直列回路と、上記Ｉ／Ｏポートに一端を接続した第四抵抗回路と、この第四抵抗回路の他端にベースを接続し、上記ｐｎｐ形トランジスタのエミッタにコレクタを接続し、グランドにエミッタを接続したｎｐｎ形トランジスタとが設けられ、上記マイコンは、上記パルス電圧信号が本テレビジョンで用いられているフォーマットであるか否かを判断し、本テレビジョンで用いられているフォーマットであると判断したときに上記Ｉ／Ｏポートからローレベルの電圧を出力して上記確認音を発生させ、本テレビジョンで用いられているフォーマットでないと判断したときに上記Ｉ／Ｏポートからハイレベルの電圧を出力して上記確認音の発生を中止させる構成としてある。
【０００８】
制御データを所定フォーマットの可聴周波数のパルスで表現した赤外線信号を赤外線受光回路が受光すると、同赤外線信号は略同じパルス幅のパルス電圧信号に変換されて所定の出力端から出力される。すると、マイコンにて、パルス電圧信号に変換された制御データに対応する制御処理が行われる。具体的には、マイコンがチューナ回路とクロマＩＣに対して制御処理を行うことにより、チューナ回路は放送電波を受信して中間周波信号を生成し、クロマＩＣが同中間周波信号を入力して映像を表現する映像信号と音声を電圧で表す音声信号とを生成する。
すると、映像表示回路は、同映像信号に基づいて映像を受像管に表示する。また、音声アンプ回路が同音声信号を所定の入力端から入力して増幅し、スピーカは同増幅された音声信号に基づいて音声を発生させる。
赤外線受光回路で生成されたパルス電圧信号は、第一抵抗回路を介してｐｎｐ形トランジスタのベースにも入力される。ここで、第二抵抗回路の一端は電源ラインに接続され、ｐｎｐ形トランジスタのエミッタが同第二抵抗回路の他端に接続され、同ｐｎｐ形トランジスタのコレクタはグランドに接続されている。従って、トランジスタの電流増幅作用により、ベースに入力されるパルス電圧信号に応じて電流が増幅される。
【０００９】
ここで、マイコンの上記Ｉ／Ｏポートには第四抵抗回路の一端が接続され、同第四抵抗回路の他端にはｎｐｎ形トランジスタのベースが接続されている。同ｎｐｎ形トランジスタは、コレクタが上記ｐｎｐ形トランジスタのエミッタに接続され、エミッタがグランドに接続されている。マイコンは、パルス電圧信号が本テレビジョンで用いられているフォーマットであるか否かを判断し、本テレビジョンで用いられているフォーマットであると判断したときに上記Ｉ／Ｏポートからローレベルの電圧を出力する。すると、ｎｐｎ形トランジスタのコレクタ−エミッタ間が遮断状態となるので、電流が増幅されたパルス電圧信号は第三抵抗回路とダイオードとからなる直列回路を通って音声アンプ回路の入力端に入力される。同入力端にはクロマＩＣで生成される音声信号が入力されるので、電流が増幅されたパルス電圧信号が同音声信号に重畳される。すると、パルス電圧信号が重畳された音声信号に基づく音声がスピーカから発生する。パルス電圧信号は赤外線信号と略同じパルス幅とされているので、赤外線信号と略同じ可聴周波数の音声が発生する。
【００１０】
すなわち、パルス電圧信号が略同じパルス幅のまま音声信号に重畳されることにより、赤外線信号を受信したときに対応して人の耳に聞こえる確認音を発生させることができるので、赤外線信号を送信するリモコン送信機を操作したときの確認音を発生させる回路を簡素化させることが可能となる。その結果、部品にかかるコストを低減させることができ、テレビジョンを製造するコストを削減することが可能となる。
【００１１】
一方、マイコンは、本テレビジョンで用いられているフォーマットでないと判断したときに上記Ｉ／Ｏポートからハイレベルの電圧を出力する。すると、ｎｐｎ形トランジスタのコレクタ−エミッタ間が導通状態となってコレクタをグランド電位に引き込むので、パルス電圧信号は音声アンプ回路に入力されず、音声の発生を中止させることができる。
このように、パルス電圧信号が本テレビジョンで用いられているフォーマットであるときのみ、リモコン操作に対応した確認音が発生する。従って、正確にリモコン操作に対応した確認音を発生させることができる。
ここで、上記可聴周波数は、同可聴周波数の音波が生じていると通常の人の耳に音が聞こえるような周波数であればよく、例えば２０Ｈｚ以上２００００Ｈｚ以下の範囲内で変動する周波数であってもよいし、固定された周波数であってもよい。
また、パルス幅が略同じであるとは、パルス幅の時間が厳密に同じであるのみならず、パルスで表現した信号に対して所定の処理を行ったときに遅延や誤差等によりパルス幅の変動が生じた場合を含む。以下も、同様である。
【００１２】
なお、テレビジョン以外に使用される種々の電気機器にも、本発明を適用することが可能である。そこで、請求項２にかかる発明は、制御データを所定フォーマットの可聴周波数のパルスで表現した無線信号を受信して略同じパルス幅のパルス電圧信号に変換する受信回路と、上記パルス電圧信号に変換された制御データに対応する制御処理を行って音声を電圧で表す音声信号を生成可能な制御処理手段と、生成された上記音声信号に基づいて音声を発生させる音声発生回路と、上記パルス電圧信号を入力して略同じパルス幅のまま上記音声信号に重畳する音声重畳回路とを具備する構成としてある。
【００１３】
制御データを所定フォーマットの可聴周波数のパルスで表現した無線信号を受信回路が受信すると、同無線信号は略同じパルス幅のパルス電圧信号に変換される。すると、制御処理手段にて、パルス電圧信号に変換された制御データに対応する制御処理が行われるとともに、音声を電圧で表す音声信号が生成されることも可能となっている。音声信号が生成されると、生成された音声信号に基づく音声が音声発生回路で発生する。ここで、受信回路で生成されたパルス電圧信号は、音声重畳回路に入力され、略同じパルス幅のまま音声信号に重畳される。すると、パルス電圧信号が重畳された音声信号に基づく音声が音声発生回路で発生する。パルス電圧信号は無線信号と略同じパルス幅とされているので、無線信号と略同じ可聴周波数の音声が発生する。
【００１４】
すなわち、パルス電圧信号が略同じパルス幅のまま音声信号に重畳されることにより、無線信号を受信したときに対応して人の耳に聞こえる確認音を発生させることができるので、無線信号を送信するリモコン送信機を操作したときの確認音を発生させる回路を簡素化させることが可能となる。その結果、部品にかかるコストを低減させることができ、電気機器を製造するコストを削減することが可能となる。
【００１５】
ここで、請求項３にかかる発明のように、上記無線信号は、赤外線信号である構成としてもよい。リモコン送信機から電気機器へ送信する無線信号として汎用的な赤外線信号を用いることにより、本電気機器とリモコン送信機とを簡易な構成とすることが可能となる。
なお、赤外線信号には、遠赤外線信号、近赤外線信号、等、種々の信号が含まれる。
むろん、赤外線信号以外に、可視光線等、様々な無線信号を用いることが可能である。
【００１６】
上記受信回路は、赤外線受光素子を用いた回路、可視光線に応答するフォトトランジスタを用いた回路等、様々な回路が考えられる。
【００１７】
上記音声重畳回路も、様々な回路が考えられる。その一例として、請求項４にかかる発明は、上記音声重畳回路は、上記パルス電圧信号の電流を増幅するパルス電流増幅回路を備え、電流を増幅したパルス電圧信号を上記音声信号に重畳する構成としてある。すなわち、パルス電圧信号は電流が増幅されて音声信号に重畳されるので、リモコン送信機を操作したときの確認音をより確実に発生させることができる。
【００１８】
上記パルス電流増幅回路を有する本電気機器の具体例として、請求項５にかかる発明のように構成してもよい。この構成では、赤外線受光素子が、上記パルスで表現した赤外線信号を受光して対応するパルス電圧信号を所定の出力端から出力する。同パルス電圧信号は、第一抵抗回路を介してトランジスタのベースに入力される。ここで、第二抵抗回路の一端は電源ラインに接続され、トランジスタのエミッタ−コレクタ間は同第二抵抗回路の他端とグランドとの間に接続されている。従って、トランジスタの電流増幅作用により、ベースに入力されるパルス電圧信号に応じて電流が増幅される。電流が増幅されたパルス電圧信号は、第三抵抗回路とダイオードとからなる直列回路を通って音声発生回路の入力端に入力される。同入力端には制御処理手段で生成される音声信号が入力されるので、電流が増幅されたパルス電圧信号が同音声信号に重畳される。
【００１９】
上記音声重畳回路は、上記パルス電圧信号を上記音声信号に重畳するか否かを切り替え可能なスイッチ回路を備える構成としてもよい。必要時のみパルス電圧信号を音声信号に重畳するようにスイッチ回路を切り替えれば、必要時のみリモコン操作に対応した確認音を発生させることが可能となる。
【００２０】
その際、請求項７にかかる発明のように、上記制御処理手段は、上記パルス電圧信号が本電気機器で用いられているフォーマットであるか否かを判断し、本電気機器で用いられているフォーマットであると判断したときのみ、上記パルス電圧信号を上記音声信号に重畳する側に上記スイッチ回路を切り替える構成としてもよい。すると、パルス電圧信号が本電気機器で用いられているフォーマットであるときのみ、リモコン操作に対応した確認音が発生する。
【００２１】
上記音声発生回路は、上記パルス電圧信号の電圧の大きさを変更可能なパルス電圧変更回路を備える構成としてもよい。すると、音声信号に重畳されるパルス電圧信号の電圧を適切な大きさに変更することが可能となる。
【００２２】
その際、請求項９にかかる発明のように、上記音声重畳回路は、上記パルス電圧信号を上記音声信号に重畳する際に同パルス電圧信号を上記パルス電圧変更回路に通すか否かを切り替え可能な第二スイッチ回路を備え、上記制御処理手段は、上記パルス電圧信号を上記パルス電圧変更回路に通すか否かを選択する入力を受け付け、選択内容に応じて上記第二スイッチ回路を切り替える制御を行う構成としてもよい。すると、パルス電圧信号をパルス電圧変更回路に通して電圧の大きさを変更させるか、パルス電圧信号をパルス電圧信号に通さないで電圧の大きさを固定するか、を選択することが可能となる。
【００２３】
ところで、請求項１０にかかる発明のように、操作入力を受け付けて入力内容に対応する制御データを表現するとともに同入力内容に応じたパルス幅とした上記無線信号を生成するリモコン送信機が設けられている構成としてもよい。すると、リモコン送信機への操作入力の内容に応じた周波数で確認音が発生するので、その確認音によりリモコン送信機への操作内容を判別することが可能となる。
【００２４】
本電気機器を構成する音声重畳回路のみでも、リモコン送信機を操作したときの確認音を発生させる回路を簡素化させる効果が得られる。そこで、請求項１１にかかる発明のように、制御データを所定フォーマットの可聴周波数のパルスで表現した無線信号を受信して略同じパルス幅のパルス電圧信号に変換する受信回路と、同パルス電圧信号に変換された制御データに対応する制御処理を行って音声を電圧で表す音声信号を生成可能な制御処理手段と、生成された音声信号に基づいて音声を発生させる音声発生回路とを備える電気機器の音声重畳回路であって、上記パルス電圧信号を入力して略同じパルス幅のまま上記音声信号に重畳する構成としてもよい。
【００２５】
【発明の効果】
以上説明したように、請求項１、請求項１１にかかる発明によれば、無線信号を送信するリモコン送信機を操作したときの確認音を発生させる回路を簡素化させることが可能となる。また、本テレビジョンへリモコン操作を行ったときのみ確認音が発生するので、正確にリモコン操作に対応した確認音を発生させることが可能となる。
請求項２にかかる発明によれば、無線信号を送信するリモコン送信機を操作したときの確認音を発生させる回路を簡素化させることが可能となる。
請求項３にかかる発明によれば、本電気機器とリモコン送信機とを簡易な構成とすることが可能となる。
【００２６】
請求項４にかかる発明によれば、より確実にリモコン操作に対応した確認音を発生させることが可能となる。
請求項５にかかる発明によれば、電流が増幅されたパルス電圧信号が同音声信号に重畳されるので、簡易な構成でより確実にリモコン操作に対応した確認音を発生させることが可能となる。
請求項６にかかる発明によれば、必要時のみリモコン操作に対応した確認音を発生させることが可能となるので、利便性を向上させることができる。
請求項７にかかる発明によれば、本電気機器へリモコン操作を行ったときのみ確認音が発生するので、より正確にリモコン操作に対応した確認音を発生させることが可能となる。
【００２７】
請求項８にかかる発明によれば、音声信号に重畳されるパルス電圧信号の電圧の大きさを変えることが可能となるので、利便性を向上させることができる。
請求項９にかかる発明によれば、パルス電圧信号の電圧の大きさを変更させるか電圧の大きさを固定するかを選択することができるので、利便性を向上させることができる。
請求項１０にかかる発明によれば、リモコン送信機への操作内容を判別することができるので、さらに利便性を向上させることができる。
【００２８】
【発明の実施の形態】
以下、下記の順序にしたがって本発明の実施形態について説明する。
（１）テレビジョンの構成：
（２）テレビジョンの動作：
（３）変形例：
【００２９】
（１）テレビジョンの構成：
図１は、本発明の一実施形態にかかるテレビジョン（電気機器）の構成の概略ブロック図である。なお、利用者が使用する操作パネル等は図示を省略している。
図において、テレビジョンは、概略、ＩＩＣバス１０を介して接続されたマイコン１１とチューナＩＣ１２とクロマＩＣ１３、チューナＩＣ１２に接続されたアンテナ１２ａ、マイコン１１に接続された赤外線受光回路（受信回路）２０、リモコン送信機３０、映像表示回路４０、音声発生回路５０、音声重畳回路６０、図示しない電源回路、等を備えている。電源回路は、本テレビジョンの各部に電源を供給して、各部を動作させている。そして、マイコン１１がシリアルデータ通信によってテレビジョン全体を制御することにより、テレビジョンとしての機能を実現している。
【００３０】
本発明にいうチューナ回路は、チューナＩＣ１２とアンテナ１２ａとから構成され、テレビジョン用の放送電波をアンテナ１２ａで受信し、中間周波信号（ＩＦ）を生成して出力する。チューナＩＣ１２は、周波数シンセサイザ方式のチューナであり、マイコン１１に接続された高周波増幅回路、この高周波増幅回路とマイコン１１に接続された中間周波信号出力回路、等を備えている。中間周波信号出力回路は、マイコン１１に接続された局部発振回路と、この局部発振回路と高周波増幅回路に接続された混合回路とを備えている。なお、これらの回路は、従来から採用されている種々のテレビジョン用の回路を適用することができる。
【００３１】
高周波増幅回路は、バンドパスフィルタを有しており、マイコン１１の制御に基づいて、アンテナ１２ａからこのバンドパスフィルタを介して所望周波数に対応する放送電波を受信し、増幅して高周波信号を作成し、作成した高周波信号を混合回路に出力する。局部発振回路は、ＰＬＬ（Ｐｈａｓｅ  Ｌｏｃｋｅｄ  Ｌｏｏｐ  ）回路により構成されており、水晶発振回路からの基準発振信号を基準にして、ＰＬＬ回路により放送電波の所望周波数に対応する局部発振周波数の局部発振信号を作成して混合回路に出力する。混合回路は、高周波増幅回路からの出力と局部発振回路からの局部発振信号とを混合して中間周波信号に変換し、クロマＩＣ１３に出力する。
【００３２】
クロマＩＣ１３は、チューナＩＣ１２に接続された中間周波増幅（ＶＩＦ）回路と、マイコン１１に接続されたＶＣＯ（Ｖｏｌｔａｇｅ  Ｃｏｎｔｒｏｌｅｄ  Ｏｓｃｉｌｌａｔｏｒ）回路、このＶＣＯ回路とＶＩＦ回路に接続された検波回路、この検波回路に接続されたＡＧＣ回路、同検波回路に接続された同期回路、等を備えている。なお、各回路は、従来から採用されている種々のテレビジョン用の回路を適用することができる。
ＶＩＦ回路は、チューナＩＣ１２から中間周波信号を入力して中間周波増幅し、中間周波増幅した中間周波信号を検波回路に出力する。ＶＣＯ回路は、マイコン１１から入力される電圧に応じて発振する発振信号の発振周波数を変更することが可能であり、同電圧に対応する発振周波数で発振信号を発振する。検波回路は、発振信号の発振周波数に基づいて、ＶＩＦ回路にて中間周波増幅された中間周波信号を検波してＲＧＢ信号（映像を表現する映像信号の一種）と音声を電圧で表す音声信号（ＡＵＤＩＯ信号）とを生成して出力する。より具体的にいうと、検波回路は、中間周波増幅された中間周波信号から発振信号の発振周波数に同期しながら映像検波を行い、所定の色復調処理を施してＲＧＢ信号を分離し、外部に出力する。また、音声の信号については、中間周波増幅された中間周波信号のうち音声成分と発振信号とを混合して第二音声中間周波信号を作成し、ＦＭ検波を行って音声信号とし、外部に出力する。さらに、検波回路は検波の過程で発振信号の発振周波数に基づいて水平・垂直同期信号（ＳＹＮＣ）も作成して同期回路に出力する。
【００３３】
映像表示回路４０は、映像増幅回路４１、受像管４２、偏向回路４３、偏向コイル４４、フライバックトランス（ＦＢＴ）４５とから構成されている。なお、各回路は、従来から採用されている種々のテレビジョン用の回路を適用することができる。
検波回路から出力されたＲＧＢ信号は映像増幅回路４１に出力され、この映像増幅回路４１にて増幅されて受像管（ＣＲＴ）４２に供給される。すると、受像管４２は、増幅されたＲＧＢ信号に基づいて映像を表示する。
同期回路は、入力される水平・垂直同期信号に基づいてのこぎり波状の水平・垂直ドライブ信号（ＤＲＩＶＥ信号、映像信号の一種）を生成し、水平偏向回路と垂直偏向回路とからなる偏向回路４３に出力する。偏向回路４３は、水平・垂直ドライブ信号に対応した所定の水平・垂直ドライブ電流を作成し、受像管４２に取り付けられた偏向コイル４４に供給することにより、電子ビームを水平・垂直方向にドライブさせる。また、水平偏向回路で生じる高周波信号は、ＦＢＴ４５に供給され、受像管４２に供給する高電圧が発生するようになっている。
その結果、受像管４２ではＲＧＢ信号に応じた電子ビームがドライブされながら放出され、管面に画像が現れる。このようにして、映像信号に基づく映像が受像管に表示される。
【００３４】
音声発生回路５０は、音声アンプ回路５１とスピーカ５２とから構成されている。音声アンプ回路５１は、クロマＩＣ１３から出力される音声信号を、重畳回路６３を介して所定の入力端５１ａから入力し、同音声信号を増幅する。スピーカ５２は、増幅された音声信号に基づいて音声を発生させる。本実施形態では、スピーカ５２としてダイナミックスピーカを採用しているが、ピエゾスピーカ等を採用してもよい。
このように、音声発生回路５０は、クロマＩＣ１３で生成された音声信号に基づいて音声を発生させる。なお、音声発生回路は、種々のテレビジョン用の回路を用いることができる。
【００３５】
マイコン１１は、チューナＩＣ１２やクロマＩＣ１３に対して制御電圧を出力し、制御処理を行う。このため、マイコン１１は、ＣＰＵ１１ａ、ＲＯＭ１１ｂ、ＲＡＭ１１ｃ、Ｉ／Ｏポート１１ｄ〜ｆ、図示しないＤ／Ａ変換器、Ａ／Ｄ変換器、タイマ回路、等を内蔵している。ここで、Ｉ／Ｏポート１１ｄは赤外線受光回路２０に接続されており、マイコン１１はパルス電圧信号とされた制御データをＩ／Ｏポート１１ｄから入力して、チューナ回路とクロマＩＣに対して制御データに対応する制御処理を行う。そして、マイコン１１と、チューナＩＣ１２と、アンテナ１２ａと、クロマＩＣ１３と、映像表示回路４０とから、制御処理手段が構成される。
【００３６】
赤外線受光回路２０は、例えば、グランドにエミッタを接続された赤外線受光素子２１と、この赤外線受光素子２１に一端を接続されるとともに電源ライン（Ｖｃｃ、例えば５Ｖ）に他端を接続された抵抗素子２２と、赤外線受光素子２１のコレクタに入力側を接続された反転器２３とから構成することができる。なお、一つの抵抗素子の代わりに、複数の抵抗素子等を組み合わせた抵抗回路としてもよい。以下も、同様である。ここで、反転器２３の出力側は、パルス電圧信号を出力する所定の出力端２０ａとされ、マイコンのＩ／Ｏポート１１ｄに接続されている。なお、赤外線受光回路は、種々のテレビジョン用の回路を用いることができる。
【００３７】
図２は、リモコン送信機３０の回路のブロック構成を示している。リモコン送信機３０は、制御回路３１、制御回路３１に接続された多数の操作キー（図では３つの操作キー３２ａ〜ｃを例示）、同制御回路３１に接続された赤外線送信回路３３を備えている。操作キーは、予約設定画面を外部モニタに表示させる予約設定キーや、チャンネルやＧコードや日時を操作入力するための数字キーやカーソルキー等から構成される。
赤外線送信回路３３は、赤外線発光素子３３ａと、この赤外線発光素子３３ａのカソード側に一端を接続されるとともにグランドに他端を接続された電流制限用抵抗素子３３ｂとを有している。そして、制御回路３１から出力される信号に対応した赤外線信号（無線信号）が、外部へ送信されるようになっている。
制御回路３１は、ＣＰＵ３１ａ、ＲＯＭ３１ｂ、ＲＡＭ３１ｃ等を備えている。そして、ＣＰＵ３１ａがＲＡＭ３１ｃをワークエリアとして利用しながらＲＯＭ３１ｂに記憶された所定のプログラムを実行し、リモコン送信機３０全体の制御を行う。
【００３８】
リモコン送信機３０は、操作キーから操作入力を受け付け、入力された内容に対応する制御データを生成し、赤外線信号に変換して送信する。
図３に示すように、赤外線信号は、制御データを所定フォーマットの可聴周波数のパルスで表現した信号とされている。なお、図の赤外線信号のタイミングチャートでは、上側が点灯状態を表し、下側が消灯状態を表している。本テレビジョンでは、ヘッドパルス、カスタムコード、データコードの順に構成される所定フォーマットの赤外線信号を用いている。同カスタムコードとデータコードが、制御データを可聴周波数のパルスで表現した信号である。カスタムコードは、例えば６ｂｉｔで構成され、最短のパルス幅が０．８５ｍｓｅｃ（ミリ秒）とされている。ここで、パルス幅は、点灯状態となってから消灯状態になるまでの時間、または、消灯状態となってから点灯状態になるまでの時間をいうものとする。
カスタムコードの続くデータコードの最短のパルス幅も、０．８５ｍｓｅｃとされている。なお、カスタムコードの前のヘッドパルスは、カスタムコードよりも長いパルス幅（例えば３ｍｓｅｃ）とされている。
【００３９】
パルス幅が０．８５ｍｓｅｃであるとき、点灯状態、消灯状態を繰り返す赤外線信号の周期は０．８５×２＝１．７ｍｓｅｃであるので、赤外線信号の周波数は１／（１．７／１０００）≒５９０Ｈｚとなる。ここで、通常の人の耳に音が聞こえる音波の周波数を可聴周波数といい、例えば２０Ｈｚ以上２００００Ｈｚ以下の周波数である。可聴周波数の下限は、より好ましくは１００Ｈｚ、さらに好ましくは２００Ｈｚ、特に好ましくは５００Ｈｚである。一方、可聴周波数の上限は、より好ましくは１００００Ｈｚ、さらに好ましくは５０００Ｈｚ、特に好ましくは２０００Ｈｚである。
【００４０】
リモコン送信機のマイコン３１は、赤外線信号を点灯状態とするとき、赤外線発光素子３３ａのアノード側の電圧をハイレベル（例えば３Ｖ以上）とする。すると、電流が赤外線発光素子３３ａと抵抗素子３３ｂを介してグランドに流れるので、同発光素子３３ａから赤外線が発光する。一方、赤外線信号を消灯状態とするとき、赤外線発光素子３３ａのアノード側の電圧をローレベル（例えば１Ｖ以下）とする。すると、電流は赤外線発光素子３３ａを流れないので、同発光素子３３ａから赤外線は発光しない。そして、赤外線発光素子３３ａのアノード側の電圧を図３に示したタイミングで変化させることにより、制御データを所定フォーマットの可聴周波数のパルスで表現した赤外線信号が送信される。
なお、リモコン送信機は、種々のテレビジョン用の送信機を用いることができる。
【００４１】
赤外線受光回路２０は、赤外線受光素子２１で上記赤外線信号を受光（受信）する。赤外線信号が点灯状態であるとき、赤外線受光素子２１のコレクタ−エミッタ間が導通状態となるので、コレクタはグランド電位に引き込まれて電圧がローレベルとなり、反転器２３の出力側はハイレベルとなる。一方、赤外線信号が消灯状態であるとき、赤外線受光素子２１のコレクタ−エミッタ間が遮断状態となるので、コレクタは抵抗素子２２にプルアップされて電圧がハイレベルとなり、反転器２３の出力側はローレベルとなる。すなわち、赤外線受光回路２０は、図３に示すように、正論理でパルス電圧信号を出力する回路とされ、上記赤外線信号をリモコン送信機３０から受光して略同じパルス幅のパルス電圧信号に変換して出力端２０ａから出力する。
マイコン１１は、上記パルス電圧信号をＩ／Ｏポート１１ｄから入力し、チューナ回路とクロマＩＣ１３と音声アンプ回路５１に対して同パルス電圧信号に変換された制御データに対応する制御処理を行う。ここで、Ｉ／Ｏポート１１ｅ，ｆはハイレベルの電圧またはローレベルの電圧を出力することが可能とされており、マイコン１１は同Ｉ／Ｏポート１１ｅ，ｆの出力電圧のレベルを適宜切り替えながら制御処理を行うようになっている。
【００４２】
音声重畳回路６０は、パルス電流増幅回路６１とスイッチ回路６２と重畳回路６３とから構成されている。パルス電流増幅回路６１は、赤外線受光回路の出力端２０ａに接続され、赤外線受光回路２０で生成されたパルス電圧信号の電流を増幅する回路である。スイッチ回路６２は、パルス電流増幅回路６１とマイコンのＩ／Ｏポート１１ｅとに接続され、パルス電流増幅回路６１からのパルス電圧信号をクロマＩＣ１３からの音声信号に重畳するか否かを切り替えることが可能な回路である。重畳回路６３は、電流を増幅したパルス電圧信号をクロマＩＣ１３からの音声信号に重畳することが可能な回路である。これらの回路６１〜６３を備える音声重畳回路６０は、リモコン送信機３０が操作されたときにスピーカ５２から確認音を発生させる。
【００４３】
図４は、本テレビジョンの要部の回路の一例を示している。
パルス電流増幅回路６１は、抵抗素子（第一抵抗回路）Ｒ１、抵抗素子（第二抵抗回路）Ｒ２、ｐｎｐ形トランジスタＴＲ１を備えている。抵抗素子Ｒ１は、一端が赤外線受光回路の出力端２０ａに接続され、他端がトランジスタＴＲ１のベースに接続されている。抵抗素子Ｒ２は、一端が電源ライン（Ｖｃｃ、例えば５Ｖ）に接続され、他端がトランジスタＴＲ１のエミッタに接続されている。
トランジスタＴＲ１は、抵抗素子Ｒ１の上記他端（抵抗素子Ｒ１における出力端２０ａとは反対側の端部）ベースを接続するとともに、抵抗素子Ｒ２の上記他端（抵抗素子Ｒ２における電源ラインとは反対側の端部）とグランドとの間にエミッタ−コレクタ間を接続している。具体的には、抵抗素子Ｒ２の上記他端にエミッタを接続し、グランドにコレクタを接続している。そして、トランジスタＴＲ１のコレクタが所定の出力端６１ａとされており、電流が増幅されたパルス電圧信号は同出力端６１ａから出力される。
【００４４】
上記構成により、赤外線受光回路２０で生成されたパルス電圧信号は、マイコンのＩ／Ｏポート１１ｄに入力されるとともに、抵抗素子Ｒ１を介してトランジスタＴＲ１のベースにも入力される。パルス電圧信号の電圧がハイレベル（例えば３Ｖ以上）であるとき、トランジスタＴＲ１のエミッタからベースへはほとんど電流が流れないので、同トランジスタＴＲ１のエミッタ−コレクタ間は遮断状態となる。すると、出力端６１ａは抵抗素子Ｒ２でプルアップされ、ハイレベルとなる。一方、パルス電圧信号の電圧がローレベル（例えば１Ｖ以下）であるとき、トランジスタＴＲ１のエミッタからベースへ電流が流れるので、同トランジスタＴＲ１のエミッタ−コレクタ間は導通状態となる。すると、出力端６１ａはグランド電位に引き込まれ、ローレベルとなる。ここで、トランジスタＴＲ１の電流増幅作用により、ベースに入力されるパルス電圧信号に応じて電流が増幅される。すなわち、パルス電流増幅回路６１は、赤外線受光回路２０からのパルス電圧信号を入力して略同じパルス幅のまま電流を増幅する。
このように、電流が増幅されたパルス電圧信号がクロマＩＣからの音声信号に重畳されるので、簡易な構成で確実にリモコン操作に対応した確認音を発生させることが可能となる。
【００４５】
重畳回路６３は、抵抗素子（第三抵抗回路）Ｒ３とダイオードＤ１とが直列接続された直列回路を備えている。直列回路は、パルス電流増幅回路の出力端６１ａ（抵抗素子Ｒ２の他端）にアノード側を接続するとともに、音声アンプ回路の入力端５１ａにカソード側を接続している。具体的には、同出力端６１ａに抵抗素子Ｒ３の一端を接続し、同抵抗素子Ｒ３の他端にダイオードＤ１のアノード側を接続し、同ダイオードＤ１のカソード側を音声アンプ回路の入力端５１ａに接続している。むろん、出力端６１ａにダイオードのアノード側を接続し、入力端５１ａに抵抗素子を接続してもよい。
本実施形態では、クロマＩＣ１３にアノード側を接続し、ダイオードＤ１のカソード側にカソード側を接続したダイオードＤ２を設けている。ダイオードＤ２を設けたことにより、ダイオードＤ１を通過したパルス電圧信号がクロマＩＣ１３に入り込まず、音声信号に影響を与えないようにしている。むろん、パルス電圧信号を重畳しても音声信号に影響の出ないクロマＩＣ１３が用いられている場合には、ダイオードＤ２を設けない構成やさらに他の構成とすることも可能である。
上記構成により、重畳回路６３は、電流が増幅されたパルス電圧信号を入力して略同じパルス幅のままクロマＩＣ１３からの音声信号に重畳することができる。
【００４６】
スイッチ回路６２は、抵抗素子（第四抵抗回路）Ｒ４、ｎｐｎ形トランジスタＴＲ２を備えている。抵抗素子Ｒ４は、一端がマイコンのＩ／Ｏポート１１ｅに接続され、他端がトランジスタＴＲ２のベースに接続されている。
トランジスタＴＲ２は、ベースが抵抗素子Ｒ４の上記他端（抵抗素子Ｒ４におけるＩ／Ｏポート１１ｅ側と反対側の端部）に接続され、コレクタ−エミッタ間がパルス電流増幅回路の出力端６１ａ（トランジスタＴＲ１のエミッタ）とグランドとの間に接続されている。具体的には、コレクタが同出力端６１ａに接続され、エミッタがグランドに接続されている。マイコン１１がＩ／Ｏポート１１ｅからローレベルの電圧（例えば１Ｖ以下）を出力すると、トランジスタＴＲ２のベースからエミッタへはほとんど電流が流れないので、同トランジスタＴＲ２のコレクタ−エミッタ間は遮断状態となる。すると、パルス電流増幅回路の出力端６１ａから出力されるパルス電圧信号は、そのまま重畳回路６３に入力され、クロマＩＣ１３からの音声信号に重畳される。一方、マイコン１１がＩ／Ｏポート１１ｅからハイレベルの電圧（例えば３Ｖ以上）を出力すると、トランジスタＴＲ２のベースからエミッタへ電流が流れるので、同トランジスタＴＲ２のコレクタ−エミッタ間は導通状態となる。すると、パルス電流増幅回路の出力端６１ａはグランド電位に引き込まれ、パルス電圧信号は重畳回路６３に入力されない。
すなわち、スイッチ回路６２は、パルス電圧信号をクロマＩＣからの音声信号に重畳するか否かを切り替え可能な回路とされている。
【００４７】
従って、マイコン１１はＩ／Ｏポート１１ｅの出力電圧をローレベル（Ｌ）にするとパルス電圧信号の重畳をオンにすることができ、Ｉ／Ｏポート１１ｅの出力電圧をハイレベル（Ｈ）にするとパルス電圧信号の重畳をオフにすることができる。
このように、必要時のみパルス電圧信号を音声信号に重畳するようにスイッチ回路を切り替えれば、必要時のみリモコン操作に対応した確認音を発生させることが可能となり、本テレビジョンは利便性の大きな装置とされている。詳しくは後述するが、本実施形態のマイコン１１は、パルス電圧信号が本テレビジョンで用いられているフォーマットであるか否かを判断し、本テレビジョンで用いられているフォーマットであると判断したときのみ、Ｉ／Ｏポート１１ｅの出力電圧をＬとしてパルス電圧信号を音声信号に重畳する側にスイッチ回路を切り替える処理を行う。
【００４８】
本実施形態の音声アンプ回路５１は、パルス電圧変更回路５３と低周波出力回路５４とから構成されている。
パルス電圧変更回路５３は、音声のボリュームを調整する回路であり、可変抵抗器ＶＲ１とコンデンサＣ１とを備えている。コンデンサＣ１は、上記入力端５１ａに一端を接続され、可変抵抗器ＶＲ１の抵抗素子の一端に他端を接続されている。同可変抵抗器ＶＲ１の抵抗素子の他端はグランドに接続され、可変部ＶＲ１ｖは低周波出力回路５４の入力端５１ｂに接続されている。図では、可変抵抗器ＶＲ１を簡略化して描いているが、可変抵抗器の可変部ＶＲ１ｖは様々な構成が考えられ、例えばマイコンのＤ／Ａ変換器からの出力により音声信号の電圧の大きさを変化させるものであってもよいし、手動で音声信号の電圧の大きさを変化させるものであってもよい。このように、パルス電圧変更回路５３は、パルス電圧信号の電圧の大きさを変更可能な回路とされている。
上記回路６１〜６３により、音声重畳回路６０は、パルス電圧信号を入力して略同じパルス幅のままクロマＩＣ１３からの音声信号に重畳する。
【００４９】
低周波出力回路５４は、例えば低周波出力回路の主要部をＩＣ化した音声アンプＩＣを中心とした公知の回路を採用することができる。音声アンプＩＣとしては、例えば型番「ＬＡ４２２４」の８ピンＩＣを用いることができる。この場合、同ＩＣの音声入力端子（ＩＮ）を上記入力端５１ｂとし、可変抵抗器ＶＲ１の可変部ＶＲ１ｖからの出力を同ＩＣの音声入力端子（ＩＮ）に入力すればよい。
【００５０】
また、音声アンプＩＣとして、沖電気工業株式会社製のスピーカ駆動アンプ（型番「ＭＳＣ１１５７」）を用いてもよい。同スピーカ駆動アンプは、プラスチックのパッケージとされ、ダイナミックスピーカを駆動するための８ピンＩＣである。この場合、同ＩＣの音声入力端子（ＡＩＮ）を上記入力端５１ｂとし、
可変抵抗器ＶＲ１の可変部ＶＲ１ｖからの出力を同ＩＣの音声入力端子（ＡＩＮ）に入力すればよい。すると、音声出力のための消費電流を少なくさせることができ、本テレビジョンの消費電力を少なくさせることができる。
【００５１】
さらに、音声アンプＩＣとして、従来から採用されている公知のＢ級プッシュプル増幅回路を用いてもよい。この場合、音声アンプＩＣには、例えば「ＴＡ７０９３Ｐ」等を用いることができる。本Ｂ級プッシュプル増幅回路は、出力トランスを用いないＯＴＬ（Ｏｕｔｐｕｔ  Ｔｒａｎｓ  ｆｏｒｍｅｒ  ｌｅｓｓ）方式のＳＥＰＰ（Ｓｉｎｇｌｅ  Ｅｎｄｅｄ  Ｐｕｓｈｐｕｌｌ）回路である。そして、パルス電圧信号が重畳された音声信号を入力端５１ｂから入力し、増幅してスピーカ５２に供給する。
【００５２】
このようにして、音声アンプ回路５１は、パルス電圧信号が重畳された音声信号を所定の入力端から入力して増幅する。そして、スピーカ５２は、増幅された音声信号に基づいて音声を発生させる。
【００５３】
ここで、赤外線受光回路２０からのパルス電圧信号が本テレビジョンで用いられているフォーマットであるとマイコン１１が判断すると、図３に示すように、パルス電圧信号の重畳が開始された時点から音声信号にパルス状のパルス電圧信号が重畳される。なお、パルス電圧信号が重畳された音声信号を重畳信号とも記載する。すると、スピーカ５２から、パルス電圧信号の周波数の音声が発生する。同周波数は可聴周波数であるので、赤外線信号を受信したときに対応して発生する音声を人の耳に聞こえる確認音とすることができる。従って、簡素な回路で、赤外線信号を送信するリモコン送信機が操作しされときにスピーカから確認音を発生させることが可能となる。
【００５４】
（２）テレビジョンの動作：
次に、本実施形態にかかるテレビジョンの動作を説明する。
図５は、マイコン１１が行う処理をフローチャートにより示している。本フローは、定期的に繰り返し行われるようになっている。なお、テレビジョンの電源をオンにした直後は、Ｉ／Ｏポート１１ｅの出力電圧をハイレベルにしている。
本フローを開始すると、まず、赤外線信号を受光したか否かを判断する（ステップＳ１０５。以下、「ステップ」の記載を省略）。赤外線受光回路２０で赤外線信号が受光されると、赤外線信号が点灯状態であるとき、赤外線受光回路２０から出力されるパルス電圧信号はハイレベルとなる。そこで、マイコン１１は、Ｉ／Ｏポート１１ｄに入力される信号がハイレベルであるか否かをみて、ハイレベルであるときに赤外線信号を受光したと判断することができる。赤外線信号を受光したと判断したときにはＳ１１０に進み、受光していないと判断したときには本フローを終了する。
【００５５】
Ｓ１１０では、受光した赤外線信号が自らのテレビジョンで用いられているフォーマットであるか否かを判断する。例えば、Ｉ／Ｏポート１１ｄに入力されるパルス電圧信号の電圧のレベルをみながら、図３で示したようなヘッドパルスのパルス幅が許容範囲内であることを検出し、さらにカスタムコードのパルス幅が許容範囲内であることを検出したとき、自らのテレビジョン用のフォーマットであると判断することができる。一方、ヘッドパルスのパルス幅が許容範囲外であったり、カスタムコードのパルス幅が許容範囲外であったりしたときには、自らのテレビジョン用のフォーマットでないと判断することができる。
自らのテレビジョン用のフォーマットであると判断したとき、Ｉ／Ｏポート１１ｅからローレベルの電圧を出力する（Ｓ１１５）。すると、スイッチ回路におけるトランジスタＴＲ２のコレクタ−エミッタ間は遮断状態となり、パルス電流増幅回路６１で増幅されたパルス電圧信号は重畳回路６３を通って音声アンプ回路の入力端５１ａに入力される。同入力端５１ａにはクロマＩＣ１３で生成される音声信号が入力されるので、電流が増幅されたパルス電圧信号が同音声信号に重畳される。すると、パルス電圧信号が重畳された音声信号に基づく音声がスピーカから発生する。パルス電圧信号は赤外線信号と略同じパルス幅とされているので、赤外線信号と略同じ可聴周波数の音声が発生する。このようにして、図３で示したように、パルス電圧信号が本テレビジョンで用いられているフォーマットであると判断した時点からスピーカ５２に確認音を発生させることができる。
なお、電流が増幅されたパルス電圧信号は、パルス電圧変更回路５３、低周波出力回路５４を介してスピーカ５２に入力されるので、音声信号に重畳されるパルス電圧信号の電圧の大きさを変えることが可能となるので、利便性を向上させることが可能となる。
【００５６】
Ｓ１１５終了後、さらにパルス電圧信号をＩ／Ｏポート１１ｄから入力し、パルス電圧信号に変換された制御データに対応した制御処理を行う（Ｓ１２０）。例えば、チャンネルの変更を意味する制御データを入力したときには、チューナＩＣ１２とクロマＩＣ１３に対して制御データに対応する制御電圧を出力し、変更後のチャンネルの放送電波を受信させる。すると、変更後のチャンネルに対応する映像信号と音声信号がクロマＩＣ１３から出力され、映像信号に基づく映像が受像管４２に表示され、音声信号に基づく音声がスピーカ５２から発生する。その際、パルス電圧信号
Ｓ１２０終了後、Ｉ／Ｏポート１１ｄから入力される制御データが終了したか否かを判断し（Ｓ１２５）、制御データが終了していない場合には繰り返しＳ１２０〜Ｓ１２５の処理を行い、制御データが終了した場合にはＳ１３０に進む。
【００５７】
Ｓ１３０では、Ｉ／Ｏポート１１ｅからハイレベルの電圧を出力して、本フローを終了する。すると、スイッチ回路におけるトランジスタＴＲ２のコレクタはグランド電位に引き込まれ、パルス電流増幅回路６１で増幅されたパルス電圧信号は重畳回路６３に入力されなくなる。その結果、制御データの受信を終了した時点でスピーカ５２からの確認音の発生を中止させることができる。
【００５８】
なお、Ｓ１１０で、受光した赤外線信号が自らのテレビジョン用のフォーマットでないと判断したとき、Ｓ１３０に進み、Ｉ／Ｏポート１１ｅからハイレベルの電圧を出力して、本フローを終了する。何らかの原因によりＩ／Ｏポート１１ｅの出力電圧がローレベルとされてパルス電圧信号が音声信号に重畳されるようになっていても、Ｓ１３０の処理により、Ｉ／Ｏポート１１ｅの出力電圧がハイレベルとされてパルス電圧信号は音声信号に重畳されないようになり、確認音の発生を中止させることができる。
【００５９】
以上説明したように、上記音声重畳回路を設けたことにより、パルス電圧信号が略同じパルス幅のまま音声信号に重畳される。すなわち、従来のようにエンベロープ検出器や分周回路や周波数を変換する回路といった複雑な構成の回路を用いる必要なく、赤外線信号を受信したときに対応して人の耳に聞こえる確認音を発生させることができるので、リモコン送信機を操作したときの確認音を発生させる回路を簡素化させることが可能となる。その結果、部品にかかるコストを低減させることができ、テレビジョンを製造するコストを削減することが可能となる。また、パルス電圧信号が本テレビジョンで用いられているフォーマットであるときのみ、リモコン操作に対応した確認音が発生するので、正確にリモコン操作に対応した確認音を発生させることができる。
【００６０】
（３）変形例：
なお、本発明は、種々の変形例が考えられる。
例えば、本体が受信可能な信号は、赤外線信号以外にも、可視光線等であってもよい。
また、テレビジョンには、例えばビデオデッキとの一体型装置、ＤＶＤプレーヤとの一体型装置、等、様々なものが考えられる。むろん、テレビジョン以外にも、ビデオデッキ、ＤＶＤプレーヤ、等、様々な電気機器に本発明を適用可能である。
【００６１】
さらに、リモコン送信機は、操作入力を受け付けて入力内容に対応する制御データを表現する赤外線信号を生成する際、入力内容に応じたパルス幅とした赤外線信号を生成してもよい。
図６に示す例は、「制御データＡ」を送信させる操作入力を受け付けたときにパルス幅０．８５ｍｓｅｃ（周波数約５９０Ｈｚ相当）のデータコードを生成し、「制御データＢ」を送信させる操作入力を受け付けたときにパルス幅０．５ｍｓｅｃ（周波数１０００Ｈｚ相当）のデータコードを生成する様子を示している。すると、テレビジョン本体では、「制御データＡ」を受信するとパルス幅０．８５ｍｓｅｃのパルス電圧信号が音声信号に重畳され、スピーカから約５９０Ｈｚの音声が発生する。一方、「制御データＢ」を受信するとパルス幅０．５ｍｓｅｃのパルス電圧信号が音声信号に重畳されて、スピーカから１０００Ｈｚの音声が発生する。
すなわち、リモコン送信機への操作入力の内容に応じた周波数で確認音が発生するので、その確認音によりリモコン送信機への操作内容を判別することが可能となり、さらに利便性を向上させることが可能できる。
【００６２】
なお、図の「制御データＣ」のように、ヘッドパルスとカスタムコードとデータコードの他に確認音用パルスを設け、操作入力の内容に応じて確認音用パルスのパルス幅を変更するようにしてもよい。すると、制御データに関係なく自由に確認音用の赤外線信号のパルス幅を設定することができるので、確認音を様々な周波数とすることが可能となる。従って、発生する確認音により、より確実にリモコン送信機への操作内容を判別することが可能となり、さらに利便性を向上させることが可能できる。むろん、確認音用パルスを、所定の音楽を発生させるパルス幅とすれば、より快適な確認音を発生させることが可能となる。
【００６３】
また、図７に示すように、音声重畳回路の重畳回路６３に、パルス電圧信号を音声信号に重畳する際に同パルス電圧信号をパルス電圧変更回路５３に通すか否かを切り替え可能なスイッチ回路（第二スイッチ回路）ＳＷ１を設けてもよい。
同スイッチ回路ＳＷ１は、ＩＣ化され、所定の切り替え端子にマイコン１１のＩ／Ｏポート１１ｆに接続されている。スイッチ回路ＳＷ１の入力端は、重畳回路６３中のダイオードＤ１のカソード側（抵抗素子Ｒ３とダイオードＤ１とからなる直列回路のカソード側）に接続されている。スイッチ回路ＳＷ１の二つある出力部の一つは、ダイオードＤ２のカソード側（音声アンプ回路の入力端５１ａ）に接続されている。スイッチ回路ＳＷ１の残りの出力部は、パルス電圧変更回路５３の出力部（低周波出力回路の入力端５１ｂ）に接続されている。なお、上記切り替え端子にハイレベルの電圧が入力されると出力は音声アンプ回路の入力端５１ａ側に切り替わり、同切り替え端子にローレベルの電圧が入力されると出力は低周波出力回路の入力端５１ｂ側に切り替わるものとする。
さらに、本変形例におけるリモコン送信機には、「確認音変更」の操作キーと「確認音固定」の操作キーが設けられているものとする。
【００６４】
図８は、マイコン１１が行う処理をフローチャートにより示している。本フローでは、図５で示したフローにＳ２０５〜Ｓ２２０の処理が追加されている。なお、Ｓ１２５〜Ｓ１３０の記載を省略している。
本フローを開始すると、まず、赤外線信号を受光したか否かを判断する（Ｓ１０５）。受光したと判断した場合、受光した赤外線信号が自らのテレビジョンで用いられているフォーマットであるか否かを判断する（Ｓ１１０）。自らのテレビジョン用のフォーマットであると判断した場合、Ｉ／Ｏポート１１ｅからローレベルの電圧を出力する（Ｓ１１５）。
【００６５】
その後、入力された制御データが「確認音変更」であるか否かを判断する（Ｓ２０５）。リモコン送信機の「確認音変更」の操作キーが押圧されていると、対応する制御データの入力を受け付けることになるので、条件成立となる。条件成立の場合、Ｉ／Ｏポート１１ｆからスイッチ回路ＳＷ１に対してハイレベルの電圧を出力し（Ｓ２１０）、スイッチ回路ＳＷ１の出力を音声アンプ回路の入力端５１ａ側に切り替えてＳ２１５に進む。すると、電流が増幅されたパルス電圧信号は、クロマＩＣ１３からの音声信号に重畳された後、パルス電圧変更回路５３に入力され、電圧の大きさが変更される。なお、条件不成立の場合、Ｓ２１０の処理を行わずにＳ２１５に進む。
【００６６】
Ｓ２１５では、入力された制御データが「確認音固定」であるか否かを判断する。リモコン送信機の「確認音固定」の操作キーが押圧されていると、対応する制御データの入力を受け付けることになるので、条件成立となる。条件成立の場合、Ｉ／Ｏポート１１ｆからスイッチ回路ＳＷ１に対してローレベルの電圧を出力し（Ｓ２２０）、スイッチ回路ＳＷ１の出力を低周波出力回路の入力端５１ｂ側に切り替えてＳ１２０に進む。すると、電流が増幅されたパルス電圧信号は、クロマＩＣ１３からパルス電圧変更回路５３を通過した音声信号に重畳される。すなわち、同パルス電圧信号はパルス電圧変更回路５３に入力されないので、電圧の大きさは固定される。なお、条件不成立の場合、Ｓ２２０の処理を行わずにＳ１２０に進む。
【００６７】
このように、マイコン１１は、リモコン送信機を利用して、パルス電圧信号をパルス電圧変更回路に通すか否かを選択する入力を受け付け、選択内容に応じて第二スイッチ回路を切り替える制御を行う。すると、パルス電圧信号の電圧の大きさを変更させるか電圧の大きさを固定するかを選択することができるので、利便性を向上させることができる。その結果、ボリュームとされたパルス電圧変更回路により確認音の大きさを変更することができる一方、例えばボリュームが非常に大きくされたときにパルス電圧信号の電圧の大きさを固定することによって確認音を大きすぎないようにさせることができるし、ボリュームが非常に小さくされたときにパルス電圧信号の電圧の大きさを固定することによって確認音を小さすぎないようにさせることもできる。
以上説明したように、本発明によると、種々の態様により、無線信号を送信するリモコン送信機を操作したときの確認音を発生させる回路を簡素化させることが可能なテレビジョン、電気機器および電気機器の音声重畳回路を提供することができる。
【図面の簡単な説明】
【図１】テレビジョンの構成の概略ブロック図である。
【図２】リモコン送信機の回路のブロック構成図である。
【図３】赤外線信号、パルス電圧信号、音声信号、重畳信号のタイミングチャートを示す図である。
【図４】テレビジョンの要部の回路を示す回路図である。
【図５】マイコンが行う処理を示すフローチャートである。
【図６】変形例において、各種制御データのタイミングチャートを示す図である。
【図７】別の変形例において、テレビジョンの要部の回路を示す回路図である。
【図８】マイコンが行う処理を示すフローチャートである。
【符号の説明】
１１…マイコン
１１ｄ〜ｆ…Ｉ／Ｏポート
１２…チューナＩＣ
１３…クロマＩＣ
２０…赤外線受光回路（受信回路）
２０ａ…所定の出力端
２１…赤外線受光素子
３０…リモコン送信機
４０…映像表示回路
４２…受像管
５０…音声発生回路
５１…音声アンプ回路
５１ａ…所定の入力端
５１ｂ…入力端
５２…スピーカ
５３…パルス電圧変更回路
５４…低周波出力回路
６０…音声重畳回路
６１…パルス電流増幅回路
６１ａ…出力端
６２…スイッチ回路
６３…重畳回路
Ｃ１…コンデンサ
Ｄ１，Ｄ２…ダイオード
Ｒ１…抵抗素子（第一抵抗回路）
Ｒ２…抵抗素子（第二抵抗回路）
Ｒ３…抵抗素子（第三抵抗回路）
Ｒ４…抵抗素子（第四抵抗回路）
ＳＷ１…第二スイッチ回路
ＴＲ１…ｐｎｐ形トランジスタ
ＴＲ２…ｎｐｎ形トランジスタ
【図１】
2004320635.tif 000003
【図２】
2004320635.tif 000004
【図３】
2004320635.tif 000005
【図４】
2004320635.tif 000006
【図５】
2004320635.tif 000007
【図６】
2004320635.tif 000008
【図７】
2004320635.tif 000009
【図８】
2004320635.tif 000010